(57)【要約】【課題】ネジなどの締結部材を用いることなく、ファンボックスを筺体に取り付けることが可能な電子機器を提供する。【解決手段】リアパネル２０と、ファン４０が収納されたファンボックス５０とを備えたディスクプレーヤ１において、リアパネル２０は、ファンボックス５０が嵌め込まれる切欠部２１と、切欠部２１から延びるように、リアパネル２０に一体的に形成され、撓み変形可能で、かつ、ファン４０およびファンボックス５０の両方に係合可能な形状を有する２つのフック部２２とを含む。また、ファンボックス５０は、ファンボックス５０に一体的に設けられ、リアパネル２０の２つのフック部２２と係合する突起部５４ａを有する凹部５４ｂからなる２つのフック係合部５４を含む。【選択図】図２
2005197421.tif 000002
【特許請求の範囲】
【請求項１】
機器の背面を覆う金属製の後部パネルと、前記機器を上方から覆うとともに、前記後部パネルの上端部の外面に重なるように曲げ加工された折り曲げ部を含む金属製の上部カバーと、駆動モータが内蔵されたファンと、前記ファンが収納される凹状のファン収納部を含む樹脂製のファンボックスとを備えた電子機器において、
前記金属製の後部パネルは、
前記ファンボックスが上方から嵌め込まれる切欠部と、
前記切欠部の所定の位置から延びるように、前記金属製の後部パネルに一体的に形成され、撓み変形可能で、かつ、前記ファンおよび前記ファンボックスの両方に係合可能な形状を有する２つのフック部とを含み、
前記樹脂製のファンボックスは、
前記ファンボックスの前記後部パネルに対する取付面に一体的に設けられ、前記後部パネルの２つのフック部と係合する突起部を有する凹部からなる２つのフック係合部をさらに含み、
前記ファンを収納した前記ファンボックスを前記後部パネルの切欠部に上方から嵌め込むとともに、前記上部カバーを取り付けた場合に、前記上部カバーの折り曲げ部が前記ファンボックスの上部の所定の位置に当接するように構成されている、電子機器。
【請求項２】
筐体と、
ファンと、
前記ファンが収納される凹状のファン収納部を含むファンボックスと、
前記筐体に設けられ、前記ファンボックスが嵌め込まれる切欠部と、
前記切欠部の所定の位置から延びるように、前記筐体に一体的に形成され、少なくとも前記ファンボックスに係合するフック部とを備えた、電子機器。
【請求項３】
前記フック部は、撓み変形可能で、かつ、前記ファンおよび前記ファンボックスの両方に係合可能な形状を有する、請求項２に記載の電子機器。
【請求項４】
前記ファンボックスは、前記ファンボックスの前記筐体に対する取付面に一体的に設けられ、前記筐体のフック部と係合する凹状のフック係合部を含む、請求項２または３に記載の電子機器。
【請求項５】
前記切欠部は、所定の位置に一体的に形成されたＬ字状の第１爪部を含み、
前記ファンボックスは、前記筐体の第１爪部に対応する位置に設けられた第１貫通孔を含み、
前記第１爪部は、前記第１貫通孔を介して前記ファンの所定の部分に当接するように構成されている、請求項２〜４のいずれか１項に記載の電子機器。
【請求項６】
前記筐体を覆うカバーをさらに備え、
前記カバーは、所定の位置に一体的に形成されたＬ字状の第２爪部を含み、
前記ファンボックスは、前記カバーの第２爪部に対応する位置に設けられた第２貫通孔をさらに含み、
前記第２爪部は、前記第２貫通孔を介して前記ファンの所定の部分に当接するように構成されている、請求項５に記載の電子機器。
【発明の詳細な説明】
【技術分野】
【０００１】
本発明は、電子機器に関し、特に、ファンを収納したファンボックスを備えた電子機器に関する。
【背景技術】
【０００２】
従来、ファンを収納したファンボックスを備えたディスクプレーヤなどの電子機器が知られている（たとえば、特許文献１、特許文献２および特許文献３参照）。
【０００３】
上記特許文献１には、１つのネジを、冷却ファンを収納したホルダ（ファンボックス）の外側面に突出して形成された１つのネジ孔に挿入するとともに、筐体に設けられたネジ挿入孔に螺合させることによって、ホルダを筐体に固定する従来のファン固定装置が開示されている。
【０００４】
また、上記特許文献２には、ファンボックスの内面に一体的に設けられた２つのボスと、４つのネジを用いてファンユニット（ファン）に取り付けられた２つの固定バーとを係合させることによって、ファンユニットをファンボックスに固定するとともに、１つのネジによってファンボックスをパネルに取り付ける従来のファンユニット取付構造が開示されている。
【０００５】
また、上記特許文献３には、筐体に換気用孔を設けるとともに、換気用孔の孔縁を換気口本体の後面と１つのナット部材とにより挟持することによって、換気口本体を筐体に固定する従来の換気口取付構造が開示されている。
【０００６】
図１１は、従来のディスクプレーヤの背面の状態を示した斜視図である。図１２は、図１１に示した従来のディスクプレーヤの内面からリアパネルを見た状態を分解して示した斜視図である。図１１および図１２を参照して、従来のディスクプレーヤ１００の構造について説明する。
【０００７】
従来のディスクプレーヤ１００は、図１１に示すように、ディスクプレーヤ１００の前面を覆うフロントパネル１１０と、ディスクプレーヤ１００の背面を覆う金属製のリアパネル１２０と、ディスクプレーヤ１００の上面および側面を覆う金属製のトップカバー１３０とを備えている。また、ディスクプレーヤ１００は、図１２に示すように、内部に、駆動モータ（図示せず）が内蔵された樹脂製のファン１４０と、ファン１４０を収納する樹脂製のファンボックス１５０と、４つのネジ１６０と、４つのネジ１７０とを備えている。リアパネル１２０は、所定の位置に網目状の通気孔１２１と、４つのネジ孔１２２とを含んでいる。ファン１４０は、図１２に示すように、端部の所定の位置に設けられた４つのネジ孔１４１と、４つのネジ孔１４１に対向する端部の所定の位置に設けられた４つのネジ孔１４２とを含んでいる。また、ファンボックス１５０は、ファン１４０に対応する位置に設けられた網目状の通気孔１５１と、４つのネジ孔１５２と、４つのネジ孔１５３とを含んでいる。
【０００８】
次に、図１２を参照して、従来のディスクプレーヤ１００におけるファン１４０およびファンボックス１５０のリアパネル１２０に対する取付方法について説明する。まず、ファン１４０をファンボックス１５０に嵌め込む。次に、４つのネジ１６０をファン１４０の４つのネジ孔１４１および４つのネジ孔１４２に各々挿入するとともに、ファンボックス１５０の４つのネジ孔１５２に螺合させることによって、ファン１４０をファンボックス１５０に固定する。さらに、４つのネジ１７０をファンボックス１５０の４つのネジ孔
１５３に挿入するとともに、リアパネル１２０の４つのネジ孔１２２に螺合させることによって、ファン１４０を収納したファンボックス１５０をリアパネル１２０に固定する。これにより、ファン１４０およびファンボックス１５０のリアパネル１２０に対する取り付けが完了する。
【特許文献１】特開平８−２２８０８６号公報
【特許文献２】特開２００２−２４６７８１号公報
【特許文献３】実開平７−２２５９６号公報
【発明の開示】
【発明が解決しようとする課題】
【０００９】
図１１および図１２に示した従来のディスクプレーヤ１００では、ファン１４０をファンボックス１５０に固定するために、別途４つのネジ１６０を必要とし、ファンボックス１５０をリアパネル１２０に取り付けるために、別途４つのネジ１７０を必要としていた。このため、ファン１４０およびファンボックス１５０をリアパネル１２０に取り付ける際に、多くのネジを用いなければならないという不都合があった。その結果、部品点数が増加するという問題点があった。
【００１０】
また、上記特許文献１に開示された構造では、冷却ファンを収納したホルダを筐体に取り付けるために、別途１つのネジ（締結部材）を必要とするので、そのネジの分、部品点数が増加するという問題点がある。
【００１１】
また、上記特許文献２に開示された構造では、ファンユニットをファンボックスに固定するために、別途４つのネジと２つの固定バーとを必要とするとともに、ファンボックスをパネルに取り付けるために、別途１つのネジを必要とするので、そのネジの分、部品点数が増加するという問題点がある。
【００１２】
また、上記特許文献３に開示された構造では、換気口本体を筐体に固定するために、別途１つのナット部材（締結部材）を必要とするので、そのナット部材の分、部品点数が増加するという問題点がある。
【００１３】
この発明は、上記のような課題を解決するためになされたものであり、ネジやナット部材などの締結部材を用いることなく、ファンボックスを筺体に取り付けることが可能な電子機器を提供することを目的とする。
【課題を解決するための手段及び発明の効果】
【００１４】
この発明の第１の局面による電子機器は、機器の背面を覆う金属製の後部パネルと、機器を上方から覆うとともに、後部パネルの上端部の外面に重なるように曲げ加工された折り曲げ部を含む金属製の上部カバーと、駆動モータが内蔵されたファンと、ファンが収納される凹状のファン収納部を含む樹脂製のファンボックスとを備えた電子機器において、金属製の後部パネルは、ファンボックスが上方から嵌め込まれる切欠部と、切欠部の所定の位置から延びるように、金属製の後部パネルに一体的に形成され、撓み変形可能で、かつ、ファンおよびファンボックスの両方に係合可能な形状を有する２つのフック部とを含み、樹脂製のファンボックスは、ファンボックスの後部パネルに対する取付面に一体的に設けられ、後部パネルの２つのフック部と係合する突起部を有する凹部からなる２つのフック係合部をさらに含み、ファンを収納したファンボックスを後部パネルの切欠部に上方から嵌め込むとともに、上部カバーを取り付けた場合に、上部カバーの折り曲げ部がファンボックスの上部の所定の位置に当接するように構成されている。
【００１５】
この第１の局面による電子機器では、上記のように、切欠部から延びる２つのフック部を後部パネルに一体的に設けるとともに、２つのフック部をファンおよびファンボックス
の両方に係合可能な形状に形成することによって、ファンおよびファンボックスの両方を後部パネルに固定することができる。これによって、ネジなどの締結部材を用いることなく、ファンおよびファンボックスの両方を後部パネルに取り付けることができるので、その分、部品点数を削減することができる。また、２つのフック部を撓み変形可能な形状に形成することによって、後部パネルの２つのフック部がファンおよびファンボックスに係合する際に撓み変形するので、容易にファンおよびファンボックスの両方を後部パネルに取り付けることができる。また、後部パネルの２つのフック部と係合する突起部を有する凹部からなる２つのフック係合部を、ファンボックスの後部パネルに対する取付面に一体的に設けることによって、後部パネルの２つのフック部とファンボックスの２つのフック係合部とが係合するので、ファンボックスを確実に後部パネルに取り付けることができる。また、ファンボックスのフック係合部を凹部からなるように構成することによって、後部パネルのフック部がファンボックスのフック係合部とファンとに跨って係合する場合に、フック係合部の凹部の深さ分だけファンをファンボックスの取付面よりも奥側に押圧することができるので、ファンをより確実に後部パネルに固定することができる。
【００１６】
この発明の第２の局面による電子機器は、筐体と、ファンと、ファンが収納される凹状のファン収納部を含むファンボックスと、筐体に設けられ、ファンボックスが嵌め込まれる切欠部と、切欠部の所定の位置から延びるように、筐体に一体的に形成され、少なくともファンボックスに係合するフック部とを備えている。
【００１７】
この第２の局面による電子機器では、上記のように、切欠部から延びるとともに、少なくともファンボックスと係合するフック部を筺体に一体的に設けることによって、筺体のフック部が少なくともファンボックスに係合するので、ファンボックスを筺体に固定することができる。これによって、ネジなどの締結部材を用いることなく、ファンボックスを筺体に取り付けることができるので、その分、部品点数を削減することができる。
【００１８】
上記第２の局面による電子機器において、好ましくは、フック部は、撓み変形可能で、かつ、ファンおよびファンボックスの両方に係合可能な形状を有する。このように構成すれば、ファンおよびファンボックスの両方を容易に筺体に固定することができる。これによって、ネジなどの締結部材を用いることなく、ファンおよびファンボックスの両方を容易に筺体に取り付けることができるので、より部品点数を削減することができる。
【００１９】
上記第２の局面による電子機器において、好ましくは、ファンボックスは、ファンボックスの筐体に対する取付面に一体的に設けられ、筐体のフック部と係合する凹状のフック係合部を含む。このように構成すれば、筺体のフック部とファンボックスのフック係合部とが係合するので、ファンボックスを確実に筺体に取り付けることができる。また、筐体のフック部がファンボックスの凹状のフック係合部とファンとに跨って係合する場合に、凹状のフック係合部の深さ分だけファンをファンボックスの取付面よりも奥側に押圧することができるので、これによっても、ファンを確実に筐体に取り付けることができる。
【００２０】
上記第２の局面による電子機器において、好ましくは、切欠部は、所定の位置に一体的に形成されたＬ字状の第１爪部を含み、ファンボックスは、筐体の第１爪部に対応する位置に設けられた第１貫通孔を含み、第１爪部は、第１貫通孔を介してファンの所定の部分に当接するように構成されている。このように構成すれば、第１爪部によりファンを固定することができるので、ファンをファンボックスとともに筐体に確実に固定することができる。これにより、ファンがファンボックスから脱落するのを防止することができる。
【００２１】
この場合、好ましくは、筐体を覆うカバーをさらに備え、カバーは、所定の位置に一体的に形成されたＬ字状の第２爪部を含み、ファンボックスは、カバーの第２爪部に対応する位置に設けられた第２貫通孔をさらに含み、第２爪部は、第２貫通孔を介してファンの
所定の部分に当接するように構成されている。このように構成すれば、第１爪部のみならず、第２爪部によってもファンを固定することができるので、ファンをファンボックスとともに筐体により確実に固定することができる。その結果、ファンがファンボックスから脱落するのをより確実に防止することができる。
【発明を実施するための最良の形態】
【００２２】
以下、本発明の実施の形態を図面に基づいて説明する。
【００２３】
（第１実施形態）
図１は、本発明の第１実施形態によるディスクプレーヤの背面の状態を示した斜視図である。図２は、図１に示したディスクプレーヤの内面からリアパネルを見た状態を分解して示した斜視図である。図３は、図１に示したディスクプレーヤの内面からリアパネルを見た状態を示した斜視図である。図４は、図３中の２００−２００線に沿った断面図である。図５は、図３の矢印Ｄの方向から見た状態を示した図である。図６は、図５中の３００−３００線に沿った断面図である。図１〜図６を参照して、本発明の第１実施形態によるディスクプレーヤ１の構造について説明する。
【００２４】
本発明の第１実施形態によるディスクプレーヤ１は、図１に示すように、ディスクプレーヤ１の前面を覆うフロントパネル１０と、ディスクプレーヤ１の背面を覆う金属製のリアパネル２０と、ディスクプレーヤ１の上面および側面を覆う金属製のトップカバー３０と、駆動モータ（図示せず）が内蔵された樹脂製のファン４０（図２参照）と、ファン４０を収納する樹脂製のファンボックス５０とを備えている。なお、ディスクプレーヤ１は、本発明の「電子機器」の一例であり、リアパネル２０は、本発明の「筐体」および「後部パネル」の一例であり、トップカバー３０は、本発明の「カバー」および「上部カバー」の一例である。トップカバー３０は、図１に示すように、リアパネル２０の上端の外面に重なるように曲げ加工された折り曲げ部３１を含んでいる。ファンボックス５０は、図２に示すように、ファン４０を収納するファン収納部５１と、網目状の通気孔５２とを含んでいる。また、ファン４０を収納したファンボックス５０は、図１に示すように、ディスクプレーヤ１の外部に設置されている。
【００２５】
ここで、第１実施形態では、リアパネル２０は、図２に示すように、ファンボックス５０を嵌め込むための切欠部２１と、切欠部２１から延びるように金属製のリアパネル２０に一体的に形成された２つのフック部２２とを含んでいる。この２つのフック部２２は、撓み変形可能であるとともに、図５に示すように、ファン４０およびファンボックス５０の両方に係合可能な形状に形成されている。また、ファンボックス５０は、２つのフック係合部５４を含んでいる。この２つのフック係合部５４は、ファンボックス５０のリアパネル２０に対する取付面５３に一体的に設けられている。また、２つのフック係合部５４は、図２および図６に示すように、リアパネル２０のフック部２２と係合する突起部５４ａを有する凹部５４ｂにより構成されている。また、第１実施形態では、図１および図４に示すように、トップカバー３０の折り曲げ部３１が、ファンボックス５０のリアパネル２０から外部に突出した部分の上部に当接するように構成されている。また、ファン４０は、図３に示すように、ファンボックス５０の凹部５４ｂの深さ分だけファンボックス５０の取付面５３からファン収納部５１の奥側に配置するように構成されている。
【００２６】
次に、図２〜図４を参照して、本発明の第１実施形態によるディスクプレーヤ１に対するファン４０およびファンボックス５０の取付方法について説明する。まず、図２に示すように、ファン４０を図２の矢印Ａの方向からファンボックス５０のファン収納部５１に嵌め込む。次に、ファン４０を収納した状態のファンボックス５０を図２の矢印Ｂの方向に移動してリアパネル２０の切欠部２１に嵌め込む。その際に、リアパネル２０の２つのフック部２２がファンボックス５０の２つのフック係合部５４に係合する。さらに、図３
に示すように、トップカバー３０を図３の矢印Ｃの方向に移動し、図４に示すように、トップカバー３０の折り曲げ部３１をファンボックス５０のリアパネル２０から外部に突出した部分の上部に当接させる。これにより、ファン４０およびファンボックス５０のディスクプレーヤ１に対する取り付けが完了する。
【００２７】
第１実施形態では、上記のように、切欠部２１から延びる２つのフック部２２をリアパネル２０に一体的に設けるとともに、２つのフック部２２をファン４０およびファンボックス５０の両方に係合可能な形状に形成することによって、ファン４０およびファンボックス５０の両方をリアパネル２０に固定することができる。これによって、ネジなどの締結部材を用いることなく、ファン４０およびファンボックス５０の両方をリアパネル２０に取り付けることができるので、その分、部品点数を削減することができる。
【００２８】
また、第１実施形態では、２つのフック部２２を撓み変形可能な形状に形成することによって、リアパネル２０の２つのフック部２２がファン４０およびファンボックス５０に係合する際に撓み変形するので、容易にファン４０およびファンボックス５０の両方をリアパネル２０に取り付けることができる。
【００２９】
また、第１実施形態では、リアパネル２０の２つのフック部２２と係合する突起部５４ａを有する凹部５４ｂからなる２つのフック係合部５４を、ファンボックス５０のリアパネル２０に対する取付面５３に一体的に設けることによって、リアパネル２０の２つのフック部２２とファンボックス５０の２つのフック係合部５４とが係合するので、ファンボックス５０を確実にリアパネル２０に取り付けることができる。
【００３０】
また、第１実施形態では、ファンボックス５０の２つのフック係合部５４を凹部５４ｂからなるように構成することによって、リアパネル２０の２つのフック部２２がファンボックス５０のフック係合部５４とファン４０とに跨って係合する場合に、フック係合部５４の凹部５４ｂの深さ分だけファン４０をファンボックス５０の取付面５３よりも奥側に押圧することができるので、ファン４０をより確実にリアパネル２０に固定することができる。
【００３１】
また、第１実施形態では、トップカバー３０をディスクプレーヤ１に取り付けた際に、トップカバー３０の折り曲げ部３１がファンボックス５０のリアパネル２０から外部に突出した部分の上部に当接するように構成することによって、トップカバー３０の折り曲げ部３１がファンボックス５０を上方から押えるので、ファンボックス５０がリアパネル２０との係合状態から脱して上方に移動するのを防止することができる。
【００３２】
また、第１実施形態では、ファン４０を収納したファンボックス５０をディスクプレーヤ１の外部に配置する構造を適用することによって、ディスクプレーヤ１の内部にファンボックス５０を設置する空間が十分に存在しない場合でも、ファンボックス５０をディスクプレーヤ１に容易に設置することができる。
【００３３】
（第２実施形態）
図７は、本発明の第２実施形態によるディスクプレーヤの内面からリアパネルを見た状態を分解して示した斜視図である。図８は、図７中の４００−４００線に沿った断面図である。次に、図７および図８を参照して、本発明の第２実施形態によるディスクプレーヤ６０の構造について説明する。なお、第２実施形態のリアパネル２０、トップカバー３０およびファンボックス５０以外の構造は、上記第１実施形態と同様である。
【００３４】
この第２実施形態では、図７および図８に示すように、トップカバー３０は、折り曲げ部３１の先端に一体的に形成されたＬ字状の２つの爪部３２を含んでいる。リアパネル２
０は、切欠部２１から延びるように一体的に形成された２つの爪部２３を含んでいる。なお、爪部２３は、本発明の「第１爪部」の一例であり、爪部３２は、本発明の「第２爪部」の一例である。ファンボックス５０は、上記したリアパネル２０の２つの爪部２３に対応する位置に設けられた２つの貫通孔５５と、トップカバー３０の２つの爪部３２に対応する位置に設けられた２つの貫通孔５６とを含んでいる。なお、貫通孔５５は、本発明の「第１貫通孔」の一例であり、貫通孔５６は、本発明の「第２貫通孔」の一例である。
【００３５】
また、第２実施形態では、リアパネル２０の２つのフック部２２ａは、図７に示すように、ファンボックス５０にのみ係合可能な形状に形成されている。また、ファンボックス５０のフック係合部６４も、リアパネル２０のフック部２２ａの幅に対応する形状に形成されている。また、第２実施形態では、図８に示すように、リアパネル２０の２つの爪部２３は、ファンボックス５０の２つの貫通孔５５を介してファン４０のファンボックス５０のファン収納部５１の奥側に位置する端部に形成された突出部４１の所定の位置に当接するように形成されている。また、トップカバー３０の２つの爪部３２も、ファンボックス５０の２つの貫通孔５６を介してファン４０のファンボックス５０のファン収納部５１の奥側に位置する端部に形成された突出部４１の所定の位置に当接するように形成されている。
【００３６】
次に、本発明の第２実施形態によるディスクプレーヤ６０に対するファン４０およびファンボックス５０の取付方法としては、図７に示すように、まず、ファン４０を図７の矢印Ｅの方向からファンボックス５０のファン収納部５１に嵌め込む。次に、ファン４０を収納した状態のファンボックス５０を図７の矢印Ｆの方向に移動してリアパネル２０の切欠部２１に嵌め込む。その際、リアパネル２０の２つのフック部２２ａがファンボックス５０の２つのフック係合部６４と係合するとともに、図８に示すように、リアパネル２０の２つの爪部２３がファンボックス５０の２つの貫通孔５５に挿入される。さらに、図７に示すように、トップカバー３０を図７の矢印Ｇの方向に移動し、図８に示すように、トップカバー３０の折り曲げ部３１の２つの爪部３２をファンボックス５０の２つの貫通孔５６に挿入させる。これにより、ファン４０およびファンボックス５０のディスクプレーヤ６０に対する取り付けが完了する。
【００３７】
第２実施形態では、上記のように、切欠部２１から延びるとともに、ファンボックス５０と係合する２つのフック部２２ａをリアパネル２０に一体的に設けることによって、リアパネル２０の２つのフック部２２ａがファンボックス５０に係合するので、ファンボックス５０をリアパネル２０に固定することができる。これによって、ネジなどの締結部材を用いることなく、ファンボックス５０をリアパネル２０に取り付けることができるので、その分、部品点数を削減することができる。
【００３８】
また、第２実施形態では、リアパネル２０の切欠部２１に一体的に２つのＬ字状の爪部２３を設けるとともに、ファンボックス５０にリアパネル２０の２つの爪部２３が挿入される２つの貫通孔５５を設け、リアパネル２０の２つの爪部２３がファンボックス５０の２つの貫通孔５５を介してファン４０の端部に形成された突出部４１の所定の位置に当接するように構成されていることによって、２つの爪部２３によりファン４０を固定することができるので、ファン４０をファンボックス５０とともにリアパネル２０に確実に固定することができる。これにより、ファン４０がファンボックス５０から脱落するのを防止することができる。
【００３９】
また、第２実施形態では、トップカバー３０の折り曲げ部３１に一体的に２つのＬ字状の爪部３２を設けるとともに、ファンボックス５０にトップカバー３０の２つの爪部３２が挿入される２つの貫通孔５６を設け、トップカバー３０の２つの爪部３２がファンボックス５０の２つの貫通孔５６を介してファン４０の端部に形成された突出部４１の所定の
位置に当接するように構成されていることによって、リアパネル２０の２つの爪部２３のみならず、トップカバー３０の２つの爪部３２によってもファン４０を固定することができるので、ファン４０をファンボックス５０とともにリアパネル２０により確実に固定することができる。その結果、ファン４０がファンボックス５０から脱落するのをより確実に防止することができる。
【００４０】
なお、第２実施形態のその他の効果は、上記した第１実施形態と同様である。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００４２】
たとえば、上記第２実施形態では、図７および図８に示すように、トップカバー３０の２つの爪部３２およびリアパネル２０の２つの爪部２３をファン４０のファンボックス５０のファン収納部５１の奥側に位置する端部に形成された突出部４１の所定の位置に当接するように構成したが、本発明ではこれに限らず、図９および図１０に示す第２実施形態の変形例によるディスクプレーヤ７０のように、突出リブ４２をファン４０の端部の突出部４１から所定の間隔を隔てた位置に一体的に設けることにより、リアパネル２０の切欠部２１に形成された２つの爪部２３ａと、トップカバー３０の折り曲げ部３１に形成された２つの爪部３２ａと、ファンボックス５０の下方の２つの貫通孔５５ａおよび上方の２つの貫通孔５６ａとを、上記したファン４０の突出リブ４２の位置に対応するようにファンボックス５０のファン収納部５１の入口方向にずらして構成してもよい。
【００４３】
また、上記第２実施形態では、ファンボックスの２つのフック係合部を突起部を有する凹状に形成したが、本発明はこれに限らず、２つのフック係合部は、凹状でなくてもよく、少なくともリアパネルの２つのフック部に係合する突起部を有していればよい。
【００４４】
また、上記実施形態では、本発明を電子機器の一例としてのディスクプレーヤについて適用した例を示したが、本発明はこれに限らず、ディスクプレーヤ以外のビデオやパーソナルコンピュータなどの電子機器にも適用可能である。
【００４５】
また、上記第１および第２実施形態では、フック部を２つ形成した例を示したが、本発明はこれに限らず、フック部を１つまたは３つ以上形成してもよい。この場合、フック係合部の数もフック部の数と同じ数にするのが好ましい。また、上記第２実施形態およびその変形例では、リアパネルおよびトップカバーの爪部を２つ形成した例を示したが、本発明はこれに限らず、爪部を１つまたは３つ以上形成してもよい。この場合、ファンボックスの貫通孔の数も爪部の数と同じ数にするのが好ましい。
【００４６】
また、上記実施形態では、本発明をファンを収納したファンボックスを外部に配置したディスクプレーヤについて適用した例を示したが、本発明はこれに限らず、図１１に示した従来のディスクプレーヤ１００のように、ファンを収納したファンボックスを内部に配置したディスクプレーヤについて適用してもよい。
【図面の簡単な説明】
【００４７】
【図１】本発明の第１実施形態によるディスクプレーヤの背面の状態を示した斜視図である。
【図２】図１に示したディスクプレーヤの内面からリアパネルを見た状態を分解して示した斜視図である。
【図３】図１に示したディスクプレーヤの内面からリアパネルを見た状態を示した斜視図である。
【図４】図３中の２００−２００線に沿った断面図である。
【図５】図３の矢印Ｄの方向から見た状態を示した図である。
【図６】図５中の３００−３００線に沿った断面図である。
【図７】本発明の第２実施形態によるディスクプレーヤの内面からリアパネルを見た状態を分解して示した斜視図である。
【図８】図７中の４００−４００線に沿った断面図である。
【図９】図７に示した本発明の第２実施形態の変形例によるディスクプレーヤの内面からリアパネルを見た状態を分解して示した斜視図である。
【図１０】図９中の５００−５００線に沿った断面図である。
【図１１】従来のディスクプレーヤの背面の状態を示した斜視図である。
【図１２】図１１に示した従来のディスクプレーヤの内面からリアパネルを見た状態を分解して示した斜視図である。
【符号の説明】
【００４８】
１、６０、７０  ディスクプレーヤ（電子機器）
２０  リアパネル（後部パネル、筐体）
２１  切欠部
２２、２２ａ  フック部
３０  トップカバー（上部カバー、カバー）
３１  折り曲げ部
４０  ファン
５０  ファンボックス
５１  ファン収納部
５３  取付面
５４ａ、６４ａ  突起部
５４ｂ、６４ｂ  凹部
５４、６４  フック係合部
【図１】
2005197421.tif 000003
【図２】
2005197421.tif 000004
【図３】
2005197421.tif 000005
【図４】
2005197421.tif 000006
【図５】
2005197421.tif 000007
【図６】
2005197421.tif 000008
【図７】
2005197421.tif 000009
【図８】
2005197421.tif 000010
【図９】
2005197421.tif 000011
【図１０】
2005197421.tif 000012
【図１１】
2005197421.tif 000013
【図１２】
2005197421.tif 000014